(57)【特許請求の範囲】
【請求項１】
遊技台の一面に固設した取付板と、
該取付板に係合し前記一面に平行な方向の移動が規制されるフレーム板と、
該フレーム板に連結され前記一面と平行な直線方向で摺動自在となり直線方向一方への摺動で遊技台の第一部材を施錠すると共に前記取付板に係着し且つ直線方向他方への摺動で前記取付板との係着を解除する第一摺動板と、
前記フレーム板と該第一摺動板とに亘って配設され該第一摺動板を前記直線方向一方に付勢する第一付勢部材と、
前記フレーム板に連結され前記一面と平行な直線方向で摺動自在となり直線方向他方への摺動で遊技台の第二部材を施錠すると共に前記取付板に係着し且つ直線方向一方への摺動で前記取付板との係着を解除する第二摺動板と、
前記フレーム板と該第二摺動板とに亘って配設され該第二摺動板を前記直線方向他方に付勢する第二付勢部材と、
を具備し、
前記第一摺動板と前記第二摺動板とは、前記遊技台に配設されるシリンダ錠に連動連結され、
該シリンダ錠の一方向の回転操作にて前記第二摺動板が前記第二付勢部材の付勢力に抗して摺動し前記取付板との係着が解除され、
該シリンダ錠の他方向の回転操作にて前記第一摺動板が前記第一付勢部材の付勢力に抗して摺動し前記取付板との係着が解除され、
前記第二部材の施錠を解除し該第二部材を前記遊技台から開放した状態で、該シリンダ錠の回転操作の一方向の回転操作を行い、且つ他方向の回転操作を行うことで、前記取付板への係着を共に解除し、前記遊技台から前記フレーム板と第一摺動板と第二摺動板とが取り外せることを特徴とする錠装置の着脱機構。
【請求項２】
前記取付板を少なくとも二つ以上固設したことを特徴とする請求項１記載の錠装置の着脱機構。
【発明の詳細な説明】
【０００１】
【発明の属する技術分野】
本発明は、遊技台への着脱を容易にしてリサイクル性を高める錠装置の着脱機構に関する。
【０００２】
【従来の技術】
従来、パチンコ遊技台等の施錠装置として、例えば実公昭５８−４５３８号公報に開示されているものがある。これは、図１３に示すように、前面枠１００の開放側裏面にシリンダ錠１０１と、該シリンダ錠１０１の錠軸１０２に取付けられたカム板１０３と、上下一対の鉤片１０４，１０４を有する昇降杆１０５とを基枠体１０６を介して取り付けると共に、外枠１０７の開放側内側面の上下位置に前記鉤片１０４，１０４が係脱する係止金具１０８，１０８を固着し、シリンダ錠１０１の回動操作によりカム板１０３を回動して昇降杆１０５を上下方向へ摺動させると共に、係止金具１０８，１０８と鉤片１０４，１０４との係合を解除して前面枠１００を解錠するように構成されたものである。
この施錠装置は、前面枠１００に基枠体１０６をネジ止めすることで、施錠機構の殆どの主要部材を前面枠１００に固定していた。
【０００３】
【発明が解決しようとする課題】
ところで、パチンコ台等の遊技台は、新機種としてホールに導入されても、人気が出なければ、１、２カ月のうちに撤去が余儀なくされる。それだけに台の回転は早く、使用済み台が放置される所謂「野積み」などが社会問題となっている。２００１年４月に施工された改正リサイクル法ではパチンコ台も対象となり、メーカー各社の取り組みはより重要性を増している。このため、業界にとってリサイクルは最重要課題となっている。
【０００４】
しかしながら、上記した従来の施錠装置は、前面枠に基枠体をネジ止めすることで、施錠機構の主要部材を前面枠に固定していたため、施錠機構の主要部材を再利用するには多数のネジを取り外さなければならず、多大な労力が必要になり、リサイクル性の低い問題があった。
【０００５】
本発明は上記状況に鑑みてなされたもので、ネジの取り外しを行わずに容易に施錠機構の主要部材が脱着できる錠装置の着脱機構を提供し、もって、廃棄部材を低減し、リサイクル性の向上を図ることを目的とする。
【０００６】
【課題を解決するための手段】
次に、上記の課題を解決するための手段を、実施の形態に対応する図面を参照して説明する。
この発明の請求項１記載の錠装置の着脱機構は、遊技台１の一面１ａに固設した取付板５と、
該取付板５に係合し前記一面１ａに平行な方向の移動が規制されるフレーム板７と、
該フレーム板７に連結され前記一面１ａと平行な直線方向で摺動自在となり直線方向一方への摺動で遊技台１の第一部材を施錠すると共に前記取付板５に係着し且つ直線方向他方への摺動で前記取付板５との係着を解除する第一摺動板９と、
前記フレーム板７と該第一摺動板９とに亘って配設され該第一摺動板９を前記直線方向一方に付勢する第一付勢部材１１と、
前記フレーム板７に連結され前記一面１ａと平行な直線方向で摺動自在となり直線方向他方への摺動で遊技台１の第二部材を施錠すると共に前記取付板５に係着し且つ直線方向一方への摺動で前記取付板５との係着を解除する第二摺動板１３と、
前記フレーム板７と該第二摺動板１３とに亘って配設され該第二摺動板１３を前記直線方向他方に付勢する第二付勢部材１５と、
を具備し、
前記第一摺動板９と前記第二摺動板１３とは、前記遊技台１に配設されるシリンダ錠３に連動連結され、
該シリンダ錠３の一方向の回転操作にて前記第二摺動板１３が前記第二付勢部材１５の付勢力に抗して摺動し前記取付板５との係着が解除され、
該シリンダ錠３の他方向の回転操作にて前記第一摺動板９が前記第一付勢部材１１の付勢力に抗して摺動し前記取付板５との係着が解除され、
該シリンダ錠３の回転操作の一方向の回転操作を行い、且つ他方向の回転操作を行うことで、前記取付板５への係着を共に解除し、前記遊技台１から前記フレーム板７と第一摺動板９と第二摺動板１３とが取り外せることを特徴とする。
【０００７】
この錠装置の着脱機構では、通常時、第一摺動板９が第一部材を施錠すると共に取付板５に係着し、第二摺動板１３が第二部材を施錠すると共に取付板５に係着している。したがって、第一摺動板９及び第二摺動板１３が取付板５に係着して、その結果、フレーム板７，第一摺動板９及び第二摺動板１３が遊技台１から脱落することがない。
また、シリンダ錠３を回転操作し、第一摺動板９と第二摺動板１３とのいずれか一方の施錠を解除しても、いずれか他方が常に取付板５に係着しているので、この場合においてもフレーム板７，第一摺動板９及び第二摺動板１３が遊技台１から脱落することがない。
一方、シリンダ錠３を回転操作して、第一付勢部材１１，第二付勢部材１５の付勢力に抗して第一摺動板９を直線方向他方へ摺動し、且つ第二摺動板１３を直線方向一方へ摺動すると、第一摺動板９及び第二摺動板１３の取付板５への係着が共に解除され、遊技台１からフレーム板７，第一摺動板９及び第二摺動板１３が脱着できる。
つまり、工具を使用せずに錠装置を容易に脱着して再使用が可能になる。
【０００８】
請求項２記載の錠装置の着脱機構は、前記取付板５を少なくとも二つ以上固設したことを特徴とする。
【０００９】
この錠装置の着脱機構では、取付板５を少なくとも二つ以上固設することで、第一摺動板９，第二摺動板１３が、二つ以上の取付板５に対して同時に係着又は係着解除する。したがって、遊技台１に対する錠装置の係着強度と、錠装置を介在して遊技台に施錠する第一部材及び第二部材の施錠強度とが高まる。
【００１０】
【発明の実施の形態】
以下、本発明に係る錠装置の着脱機構の好適な実施の形態を図面を参照して詳細に説明する。
図１は本発明に係る錠装置の着脱機構を表す分解斜視図、図２は取付板近傍の拡大斜視図、図３はフレーム板と取付板との係合状況を表す斜視図、図４は取付板に係着したフレーム板、第一摺動板及び第二摺動板の斜視図である。
【００１１】
本実施の形態による錠装置の着脱機構は、遊技台であるパチンコ台に用いる場合を例に説明するが、この他、メダルを遊技媒体として使用するスロット等の遊技台に用いても後述する作用・効果を同様に奏するものである。
この種の遊技台は、遊技台本体と、この遊技台本体に開閉自在となった第二部材としての中扉と、この中扉に対してさらに開閉自在となった第一部材としての前面扉とを有している。
これら中扉、前面扉の施錠は、例えば中扉に設けて遊技台の表面に表出するシリンダ錠の回動方向によって施解錠操作が選択される。例えば、シリンダ錠を一方向に回転すれば、前面扉のみが解錠され、シリンダ錠を他方向に回転すれば中扉のみが解錠される如きである。
【００１２】
図１に示すように、遊技台の一構成部材である中扉の扉枠１には、上記のシリンダ錠３を設けている。この扉枠１の揺動端縁側である開閉側縦框における一面としての背面１ａには、上下方向に所定間隔をあけて複数の、本実施の形態では三つの取付板５をネジなどの固定部材にて固定している。三つの取付板５は、同形状となっている。図２に示すように、取付板５は、ネジ固定のためのネジ穴の開いた固定板５ａと、起立板５ｂと、起立板５ｂに上下方向から切り込みを入れて形成した上向きの第一係着溝５ｃ及び下向きの第二係着溝５ｄとを有している。
【００１３】
扉枠１の背面１ａには、開閉側縦框の上下方向に沿って長いフレーム板７が取り付けられる。フレーム板７は、切欠７ａ，７ｂ，７ｃと、起立片７ｄ，７ｅと、切起こし爪７ｆ，７ｇと、シリンダ錠貫通穴７ｈと、前面扉爪貫通穴７ｉ，７ｊ，７ｋを有している。フレーム板７は、同方向に開いたコ字形状の二つの切欠７ａ，７ｂと、反対方向に開いたコ字形状の一つの切欠７ｃを図３に示すように取付板５の固定板５ａに嵌入することで、背面１ａに平行な方向の移動が規制されている。
【００１４】
このフレーム板７の表面には、同じく扉枠１の縦框の上下方向に沿って長い第一摺動板９が重ねられている。第一摺動板９は、爪表出穴９ａ，９ｂと、取付板係着穴９ｃ，９ｄ，９ｅと、前面扉の図示しない係止爪が係止する前面扉爪係止穴９ｆ，９ｇ，９ｈと、切起こし爪９ｉとを有している。
【００１５】
第一摺動板９は、フレーム板７に固定した図示しないカシメ軸やハトメ等を例えば長穴である爪表出穴９ａ，９ｂに貫通してフレーム板７に連結し、背面１ａと平行な直線方向（図１の上下方向）で摺動自在となっている。
【００１６】
また、第一摺動板９は、爪表出穴９ａ，９ｂから、フレーム板７の切起こし爪７ｆ，７ｇを表出させている。取付板係着穴９ｃ，９ｄ，９ｅには、取付板５の起立板５ｂが挿入される。
【００１７】
第一摺動板９は、直線方向一方（図１の下方）への摺動で、前面扉爪係止穴９ｆ，９ｇ，９ｈを図示しない前面扉爪に係止して遊技台の第一部材である前面扉を施錠すると共に、取付板係着穴９ｃ，９ｄ，９ｅを第一係着溝５ｃに係着して取付板５に係着し、且つ直線方向他方（図１の上方）への摺動で前面扉への施錠を解除すると共に、取付板係着穴９ｃ，９ｄ，９ｅを第一係着溝５ｃから外して、取付板５との係着を解除するようになっている。
【００１８】
フレーム板７の切起こし爪７ｇと、第一摺動板９の切起こし爪９ｉには第一付勢部材１１を張架してあり、第一付勢部材１１は、第一摺動板９を直線方向一方（図１の下方）に付勢している。
【００１９】
この第一摺動板９の表面には、同じく扉枠１の縦框の上下方向に沿って長い第二摺動板１３が重ねられている。第二摺動板１３は、取付板係着片１３ａ，１３ｂ，１３ｃと、中扉の図示しない当たり片に係止する中扉係止爪１３ｄ，１３ｅと、切起こし爪１３ｆと、長穴１３ｇ，１３ｈを有している。
第二摺動板１３は、フレーム板７の起立片７ｄ，７ｅに固定した図示しないカシメ軸やハトメ等を長穴１３ｇ，１３ｈに貫通してフレーム板７に連結し、背面と平行な直線方向（図１の上下方向）で摺動自在となっている。
【００２０】
第二摺動板１３は、直線方向他方（図１の上方）への摺動で、中扉係止爪１３ｄ，１３ｅを図示しない遊技台本体に固定した当たり片に係止して遊技台の第二部材である中扉を施錠すると共に、取付板係着片１３ａ，１３ｂ，１３ｃを第二係着溝５ｄに係着して取付板５に係着し、且つ直線方向一方（図１の下方）への摺動で中扉の施錠を解除すると共に、取付板係着片１３ａ，１３ｂ，１３ｃを第二係着溝５ｄから外して、取付板５との係着を解除するようになっている。
【００２１】
フレーム板７の切起こし爪７ｆと、第二摺動板１３の切起こし爪１３ｆには第二付勢部材１５を張架してあり、第二付勢部材１５は、第二摺動板１３を直線方向他方（図１の上方）に付勢している。
【００２２】
したがって、通常時、第一摺動板９及び第二摺動板１３は、第一付勢部材１１，第二付勢部材１５に付勢されて、図４に示すように、両方が共に取付板５に係着した状態となっている。
【００２３】
次に、上記のように構成した錠装置の着脱機構における動作を図５〜図１１を参照しながら説明する。
図５は第一摺動板及び第二摺動板が取付板に係着した状態を平面視（ａ）、側面視（ｂ）で示した動作説明図、図６は第一摺動板が係着解除され第二摺動板が取付板に係着した状態を平面視（ａ）、側面視（ｂ）で示した動作説明図、図７は第二摺動板が係着解除され第一摺動板が取付板に係着した状態を平面視（ａ）、側面視（ｂ）で示した動作説明図、図８は第一摺動板及び第二摺動板が取付板に対し係着解除された状態を平面視（ａ）、側面視（ｂ）で示した動作説明図、図９は第一摺動板が係着解除され第二摺動板が取付板に係着した状態を表す斜視図、図１０は第一摺動板及び第二摺動板が取付板に対し係着解除された状態を表す斜視図、図１１は取付板から脱着した錠装置主要部の斜視図である。
【００２４】
図５に示すように、第一摺動板９，第二摺動板１３が摺動していない状態では、第一摺動板９及び第二摺動板１３が取付板５の第一係着溝５ｃ及び第二係着溝５ｄにそれぞれ入り込み、遊技台本体を引き寄せながら前面扉、中扉を施錠している。
【００２５】
この際、第一摺動板９は、第一付勢部材１１の付勢力により、第二摺動板１３は、第二付勢部材１５の付勢力により、取付板５の各溝５ｃ，５ｄに入り込んでいる。
【００２６】
シリンダ錠３を一方向に回転すると、図６，図９に示すように、第二摺動板１３が第二付勢部材１５の付勢力に抗して下方向（図６の右方向）へ摺動し、中扉の施錠を解除すると共に、取付板係着片１３ａ，１３ｂ，１３ｃを第二係着溝５ｄから外して、取付板５と第二摺動板１３との係着が解除される。
【００２７】
この時、第一摺動板９は、取付板係着穴９ｃ，９ｄ，９ｅが第一係着溝５ｃに係着しているため、フレーム板７，第一摺動板９及び第二摺動板１３は、取付板５に保持された状態を維持する。
【００２８】
同様に、シリンダ錠３を他方向に回転すると、図７に示すように、第一摺動板９が第一付勢部材１１の付勢力に抗して上方向（図７の左方向）へ摺動し、中扉の施錠を解除すると共に、取付板係着穴９ｃ，９ｄ，９ｅを第一係着溝５ｃから外して、取付板５と第一摺動板９との係着が解除される。
【００２９】
この時、第二摺動板１３は、取付板係着片１３ａ，１３ｂ，１３ｃが第二係着溝５ｄに係着しているため、フレーム板７，第一摺動板９及び第二摺動板１３は、取付板５に保持された状態を維持する。
【００３０】
一方、中扉を遊技台から開放した状態で、扉枠１の背面に表出している第二付勢部材１５及び第二摺動板１３を、第一付勢部材１１，第二付勢部材１５の各付勢力に抗して摺動させると、図８に示すように、第一摺動板９の取付板係着穴９ｃ，９ｄ，９ｅと、第二摺動板１３の取付板係着片１３ａ，１３ｂ，１３ｃとが、共に取付板５の第一係着溝５ｃ，第二係着溝５ｄから外れて、図１０に示す状態となる。
【００３１】
この状態で、フレーム板７を、図１１に示すように、扉枠１の背面１ａに垂直な方向に移動すれば、取付板５が、第一摺動板９の取付板係着穴９ｃ，９ｄ，９ｅ、第一摺動板９の切欠７ａ，７ｂ，７ｃから抜けて、フレーム板７，第一摺動板９及び第二摺動板１３が扉枠１から取り外される。
【００３２】
このように、上記の錠装置の着脱機構によれば、第一摺動板９を上方向へ摺動し、且つ第二摺動板１３を下方向へ摺動すれば、第一摺動板９及び第二摺動板１３の取付板５への係着を共に解除して、遊技台からフレーム板７、第一摺動板９及び第二摺動板１３を取り外すことが可能となる。
【００３３】
つまり、工具を使用してネジを外すことなく、錠装置の主要部材を容易に脱着して再使用することができる。
なお、取り外された錠装置を再使用する場合には、新規の遊技台の扉枠に予め取付板５のみを取り付けておき、この取付板５に対して、脱着したフレーム板７，第一摺動板９，第二摺動板１３を装着する。
【００３４】
また、上記の錠装置の着脱機構によれば、三つの取付板５を固設したので、第一摺動板９，第二摺動板１３が、複数の取付板５に対して同時に係着又は係着解除する。
したがって、遊技台に対する錠装置の係着強度と、錠装置を介在して遊技台に施錠する中扉及び前面扉の施錠強度とが高まる。
【００３５】
さらに、上記の実施の形態では、同一形状の取付板５を用いるので、部品を共用化して、部品管理を容易にすることができる。
【００３６】
なお、上記の実施の形態では、同一形状の三つの取付板５を用いる場合を例に説明したが、本発明に係る錠装置の着脱機構は、取付板同士の間隔が短い構造の場合には図１２（ａ）に示すように、一方に第一係着溝５ｃ、他方に第二係着溝５ｄを形成した二つの取付板５を用いる構成としてもよい。このような構成とすれば、部品点数を少なくすることができる。
【００３７】
また、上記の実施の形態では、同一形状の取付板５を用いる場合を例に説明したが、本発明に係る錠装置の着脱機構は、図１２（ｂ）に示すように、両端に固設する取付板５の形状と、中間に設置する取付板５の形状とを異なるものとしてもよい。
このような取付板５を用いれば、両端の取付板５を、係着溝の少ない簡単な構造にでき、部品コストを安価にすることができる。
【００３８】
【発明の効果】
以上説明したように、本発明に係る錠装置の着脱機構によれば、遊技台の一面に取付板を固設し、この取付板に一面方向の移動を規制してフレーム板を係合し、直線方向他方への摺動で取付板への係着を解除する第一摺動板と、直線方向一方への摺動で取付板への係着を解除する第二摺動板とをフレーム板に連結したので、シリンダ錠の回転操作によって、第一摺動板を直線方向他方へ摺動し、且つ第二摺動板を直線方向一方へ摺動すれば、第一摺動板及び第二摺動板の取付板への係着を共に解除して、遊技台からフレーム板、第一摺動板及び第二摺動板を取り外すことができる。
この結果、工具を使用することなく錠装置を容易に脱着して再使用することができ、廃棄部材を減らし、錠装置のリサイクル性を高めることができる。
【００３９】
また、本発明に係る錠装置の着脱機構によれば、取付板を少なくとも二つ以上固設するので、第一摺動板，第二摺動板が、二つ以上の取付板に対して同時に係着又は係着解除し、遊技台に対する錠装置の係着強度、遊技台に対する第一部材及び第二部材の施錠強度を高めることができる。
【図面の簡単な説明】
【図１】本発明に係る錠装置の着脱機構を表す分解斜視図である。
【図２】取付板近傍の拡大分解斜視図である。
【図３】フレーム板と取付板との係合状況を表す斜視図である。
【図４】取付板に係着したフレーム板、第一摺動板及び第二摺動板の斜視図である。
【図５】第一摺動板及び第二摺動板が取付板に係着した状態を平面視（ａ），側面視（ｂ）で示した動作説明図である。
【図６】第一摺動板が係着解除され第二摺動板が取付板に係着した状態を平面視（ａ），側面視（ｂ）で示した動作説明図である。
【図７】第二摺動板が係着解除され第一摺動板が取付板に係着した状態を平面視（ａ），側面視（ｂ）で示した動作説明図である。
【図８】第一摺動板及び第二摺動板が取付板に対し係着解除された状態を平面視（ａ），側面視（ｂ）で示した動作説明図である。
【図９】第一摺動板が係着解除され第二摺動板が取付板に係着した状態を表す斜視図である。
【図１０】第一摺動板及び第二摺動板が取付板に対し係着解除された状態を表す斜視図である。
【図１１】取付板から脱着した錠装置主要部の斜視図である。
【図１２】本発明に係る着脱機構の異なる他の実施の形態を（ａ），（ｂ）で表した要部拡大側面図である。
【図１３】従来の遊技台用施錠装置の斜視図である。
【符号の説明】
１…遊技台（扉枠）
１ａ…一面（背面）
５…取付板
７…フレーム板
９…第一摺動板
１１…第一付勢部材
１３…第二摺動板
１５…第二付勢部材
【図１】
0004430273.tif 000002
【図２】
0004430273.tif 000003
【図３】
0004430273.tif 000004
【図４】
0004430273.tif 000005
【図５】
0004430273.tif 000006
【図６】
0004430273.tif 000007
【図７】
0004430273.tif 000008
【図８】
0004430273.tif 000009
【図９】
0004430273.tif 000010
【図１０】
0004430273.tif 000011
【図１１】
0004430273.tif 000012
【図１２】
0004430273.tif 000013
【図１３】
0004430273.tif 000014